(57)【要約】【課題】携帯電話機の機種、仕様に依存することなく緊急通報を行うことができる緊急通報プログラムを提供する。【解決手段】会員の所有物に関する状態変化を検出した際に状態監視装置１０が、会員に対応した状態監視情報を更新した上で会員が所有する携帯電話機２０に送信した電子メールの携帯電話機２０における受信に応じて状態監視装置１０から会員に対応する状態監視情報を取り込む状態監視情報取込手段２２ａ、前記取り込んだ今回の状態監視情報と直近の過去に取り込んだ過去の状態監視情報との比較結果に基づいて今回の状態監視情報が更新されているか否かを判定する判定手段２２ｂ、更新されているとの判定に応じて状態変化の検出を会員に認識させる音声情報を緊急通報のために出力する音声情報出力手段２２ｃ、として携帯電話機２０のコンピュータを機能させるための緊急通報プログラム。【選択図】      図１
2004236068.tif 000002
【特許請求の範囲】
【請求項１】
予め定められた会員の所有物に関する通常状態から異常状態への状態変化を状態監視装置が検出した際に、前記会員が所有する携帯電話機によって前記状態変化を前記会員に対して音声により緊急通報させるように、前記携帯電話機のコンピュータを機能させるための緊急通報プログラムであって、
前記会員の前記所有物に関する前記状態変化を検出した際に前記状態監視装置が、前記会員に対応した状態監視情報を更新した上で前記会員が所有する前記携帯電話機に電子メールを送信し、該電子メールの前記携帯電話機における受信に応じて前記状態監視装置から前記携帯電話機を所有する会員に対応する前記状態監視情報を取り込む状態監視情報取込手段、
前記状態監視情報取込手段が取り込んだ今回の状態監視情報と、直近の過去に前記状態監視情報取込手段が取り込んだ過去の状態監視情報とを比較し、該比較結果に基づいて前記今回の状態監視情報が更新されているか否かを判定する判定手段、
前記判定手段の更新されているとの判定に応じて前記状態変化の検出を前記会員に認識させる音声情報を前記緊急通報のために出力する音声情報出力手段、
として前記携帯電話機のコンピュータを機能させるための緊急通報プログラム。
【請求項２】
前記判定手段の更新されているとの判定に応じて前記状態変化の検出を前記会員に視認させる画像情報を前記携帯電話機の表示手段に表示させるために出力する画像情報出力手段をさらに備える
ことを特徴とする請求項１に記載の緊急通報プログラム。
【請求項３】
入力された音声情報に対応する音声にて通報する音声通報手段を備え、内蔵する記憶装置に記憶しているアプリケーションプログラムの実行が可能な携帯電話機において、
前記アプリケーションプログラムとして請求項１又は２に記載の緊急通報プログラムを記憶し、
前記音声情報出力手段は、前記音声通報手段に前記音声情報を出力する
ことを特徴とする携帯電話機。
【請求項４】
予め定められた会員の所有物に関する通常状態から異常状態への状態変化を検出した際に、前記会員が所有する携帯電話機に内蔵しているアプリケーションプログラムを実行した前記携帯電話機によって前記状態変化を前記会員に対して通報させる状態監視装置であって、
前記会員に対応した状態監視情報を記憶する状態監視情報記憶手段と、
前記状態変化の検出に応じて前記状態監視情報記憶手段に記憶している状態監視情報を更新する状態監視情報更新手段と、
前記状態監視情報更新手段の更新に応じて前記更新した状態監視情報の前記携帯電話機への取り込みの開始を指示するために、電子メールを当該携帯電話機に送信させる制御を行う第１送信制御手段と、
前記状態監視情報記憶手段が記憶している状態監視情報の送信を要求した前記携帯電話機に対して当該状態監視情報を送信させる制御を行う第２送信制御手段と、
を備えることを特徴とする状態監視装置。
【請求項５】
請求項３に記載の携帯電話機と、請求項４に記載の状態監視装置と、を備え、前記状態監視装置によって検出された状態変化を前記携帯電話機によって音声により緊急通報する緊急通報システムであって、
前記携帯電話機の状態監視情報取込手段は、前記電子メールの受信に応じて前記状態監視情報の送信を前記状態監視装置に要求し、前記第２送信制御手段によって送信された前記状態監視情報を取り込む
ことを特徴とする緊急通報システム。
【発明の詳細な説明】
【０００１】
【発明の属する技術分野】
本発明は、緊急通報プログラム、携帯電話機、状態監視装置、並びに、緊急通報システムに関し、より詳細には、予め定められた会員の所有物に関する通常状態から異常状態への状態変化を状態監視装置が検出した際に、前記会員が所有する携帯電話機によって前記状態変化を前記会員に対して音声により緊急通報させるための緊急通報プログラム、携帯電話機、状態監視装置、並びに、緊急通報システムに関するものである。
【０００２】
【従来の技術】
近年では電子メールの送受信が可能な携帯電話機が普及している。そして、携帯電話機のデータ部内に予め暗証データを記憶しておき、受信した電子メールのメール本文中に暗証データが配置されている場合に、メール本文に含まれる起動機能の識別子にしたがって、識別子に対応する機能を実行することで、携帯電話機に対する遠隔地からの操作を可能にして、操作性を向上することができる携帯電話機が提案されている（特許文献１参照）。
【０００３】
また、携帯電話機は常時使用者に携帯されているが、電子メールを着信しても、着信音により電子メールの着信を確認することはできるが、マナーモード設定中等の何らかの事情により、使用者が即座にその電子メールの内容を確認することができない場合がある。このような場合にその電子メールの内容を合成音声で出力したり、表示画面に表示するなどして確認することができる携帯電話機が従来より提案されている。
【０００４】
例えば携帯電話機にて、受信した電子メールの発信者のアドレス情報及びその電子メールの属性を検出し、音声による電子メールの内容の報知を行うか否かを自動的に決定することで、使用者は携帯電話機を何ら操作することなく、着信した電子メールの内容を確認することを可能としている（特許文献２参照）。
【０００５】
また、近年の携帯電話機は、電話やインターネットアクセスの他に、Ｗｅｂサイトからアプリケーションプログラムをダウンロード、実行する機能を備えることで、新たな機能の追加が可能となっている。そして、ゲームのアプリケーションプログラムをダウンロードすれば、携帯電話機をゲーム機のように利用することが可能となり、また、天気予報や株価の動きなど変化する情報を設定した時間毎に更新するアプリケーションプログラムをダウンロードすることで、携帯電話機にてそれらの情報をリアルタイムで監視することができる。
【０００６】
【特許文献１】
特開平２００２−３３８２２号公報  （第４−７頁、第１図）
【特許文献２】
特開平２００１−３３１４１９号公報  （第７−９頁、第２−３図）
【０００７】
【発明が解決しようとする課題】
しかしながら、上述した携帯電話機は複数の携帯電話会社から提供されており、携帯電話会社によってはセキュリティ機能として、ダウンロードしたサードパーティ等で作成されたアプリケーションプログラムに、携帯電話機の記憶装置に対するアクセスを制限している。このため、携帯電話機が電子メールを受信したことは検出できても、その電子メールの送信元やメール内容等を解析することができないため、携帯電話機にて受信した電子メールを音声にて通報する等のアプリケーションプログラムをサードパーティ等が提供しても、携帯電話会社、製造メーカによる携帯電話機の電子メールに関する機能、仕様によってはそのアプリケーションプログラムを使用することができないという問題があった。
【０００８】
よって本発明は、上述した問題点に鑑み、携帯電話機の機種、仕様に依存することなく緊急通報を行うことができる緊急通報プログラム、携帯電話機、並びに、緊急通報システムを提供することを課題としている。
【０００９】
【課題を解決するための手段】
上記課題を解決するため本発明によりなされた請求項１記載の携帯電話機のコンピュータを機能させるための緊急通報プログラムは、図１の基本構成図に示すように、予め定められた会員の所有物に関する通常状態から異常状態への状態変化を状態監視装置１０が検出した際に、前記会員が所有する携帯電話機２０によって前記状態変化を前記会員に対して音声により緊急通報させるように、前記携帯電話機２０のコンピュータを機能させるための緊急通報プログラムであって、前記会員の前記所有物に関する前記状態変化を検出した際に前記状態監視装置１０が、前記会員に対応した状態監視情報を更新した上で前記会員が所有する前記携帯電話機２０に電子メールを送信し、該電子メールの前記携帯電話機２０における受信に応じて前記状態監視装置１０から前記携帯電話機２０を所有する会員に対応する前記状態監視情報を取り込む状態監視情報取込手段２２ａ、前記状態監視情報取込手段２２ａが取り込んだ今回の状態監視情報と、直近の過去に前記状態監視情報取込手段２２ａが取り込んだ過去の状態監視情報とを比較し、該比較結果に基づいて前記今回の状態監視情報が更新されているか否かを判定する判定手段２２ｂ、前記判定手段２２ｂの更新されているとの判定に応じて前記状態変化の検出を前記会員に認識させる音声情報を前記緊急通報のために出力する音声情報出力手段２２ｃ、として前記携帯電話機２０のコンピュータを機能させるための緊急通報プログラムである。
【００１０】
上記請求項１に記載した本発明の緊急通報プログラムによれば、緊急通報プログラムの実行により携帯電話機２０のコンピュータは、携帯電話機２０における電子メールの受信に応じて状態監視装置１０から会員に対応する状態監視情報を取り込む。そして、この取り込んだ今回の状態監視情報と直近の過去に取り込んだ過去の状態監視情報とを比較し、今回の状態監視情報が更新されているか否かを判定する。そして、今回の状態監視情報が更新されていると判定すると、状態変化の検出を会員に認識させる音声情報に基づいた音声を緊急通報として出力させる。よって、緊急通報プログラムの実行によって、携帯電話機２０に会員の所有物に関する状態変化を検出した際に会員に対応する状態監視情報を更新する状態監視装置１０から電子メールの受信に応じて状態監視情報を取り込ませ、この状態監視情報が更新されているときに、状態変化が検出されたものとして音声情報に基づいた緊急通報を行わせることができることから、緊急通報プログラムが携帯電話機２０で受信した電子メールの送信元やその内容を把握することができない携帯電話機２０に組み込まれても、携帯電話機２０によって会員の所有物の状態変化の検出に応じた音声による緊急通報を行わせることができる。また、携帯電話機２０は電子メールの受信に応じて状態監視情報を取り込むことから、状態監視装置１０における状態変化の検出を速やかに携帯電話機２０側で検出して緊急通報を行うことができる。従って、緊急通報プログラムを携帯電話機２０にて実行させることで、携帯電話機２０の機種、仕様等に依存することなく、携帯電話機２０にて音声による緊急通報を行うことができるため、所有物に関する状態変化の検出を会員に確実に認識させることができる。
【００１１】
上記課題を解決するためになされた請求項２記載の発明は、図１の基本構成図に示すように、請求項１に記載の緊急通報プログラムにおいて、前記判定手段２２ｂの更新されているとの判定に応じて前記状態変化の検出を前記会員に視認させる画像情報を前記携帯電話機２０の表示手段２７に表示させるために出力する画像情報出力手段２２ｄをさらに備えることを特徴とする請求項１に記載の緊急通報プログラムである。
【００１２】
上記請求項２に記載した本発明の緊急通報プログラムによれば、緊急通報プログラムの実行により携帯電話機２０のコンピュータは、状態監視装置１０から取り込んだ今回の状態監視情報が更新されていると判定すると、状態変化の検出を会員に視認させる画像情報を表示手段２７に表示させる。よって、緊急通報プログラムの実行により携帯電話機２０に、会員の所有物に関する状態変化の検出に応じた画像情報を表示手段２７に表示させているので、音声情報と画像情報とによる緊急通報を行うことができる。従って、緊急通報により所有物に関する状態変化の検出をより一層会員に認識させることができる。
【００１３】
上記課題を解決するため本発明によりなされた請求項３記載の携帯電話機は、図１の基本構成図に示すように、入力された音声情報に対応する音声にて通報する音声通報手段２４を備え、内蔵する記憶装置に記憶しているアプリケーションプログラムの実行が可能な携帯電話機２０において、前記アプリケーションプログラムとして請求項１又は２に記載の緊急通報プログラムを記憶し、前記音声情報出力手段２２ｃは、前記音声通報手段２４に前記音声情報を出力することを特徴とする。
【００１４】
上記請求項３に記載した本発明の携帯電話機によれば、緊急通報プログラムが実行され、携帯電話機にて電子メールを受信すると、状態監視情報取込手段２２ａによって状態監視装置１０から状態監視情報が携帯電話機２０に取り込まれる。そして、状態監視情報取込手段２２ａが取り込んだ今回の状態監視情報と過去の状態監視情報との比較結果に基づいて今回の状態監視情報が更新しているか否かが判定手段２２ｂによって判定される。そして、更新されているとの判定に応じて少なくとも音声情報出力手段２２ｃによって携帯電話機２０の音声通報手段２４に出力され、音声通報手段２４によって音声情報に対応する音声による緊急通報が行われる。よって、記憶装置に記憶している緊急通報プログラムの実行によって携帯電話機２０は、会員の所有物に関する状態変化を検出した際に会員に対応する状態監視情報を更新する状態監視装置１０から電子メールの受信に応じて状態監視情報を取り込み、この状態監視情報が更新されているときに、状態変化が検出されたものとして音声情報による緊急通報を行うことから、緊急通報プログラムが携帯電話機２０で受信した電子メールの送信元やその内容を把握することができない携帯電話機２０に組み込まれても、携帯電話機２０によって会員の所有物の状態変化の検出に応じた音声情報に基づいた緊急通報を行うことができる。また、携帯電話機２０は電子メールの受信に応じて状態監視情報を取り込むことから、状態監視装置１０における状態変化の検出を速やかに携帯電話機２０側で検出して緊急通報を行うことができる。従って、緊急通報プログラムを携帯電話機２０にて実行させることで、携帯電話機の機種、仕様等に依存することなく、携帯電話機２０にて音声による緊急通報を行うことができるため、所有物に関する状態変化の検出を会員に確実に認識させることができる。
【００１５】
上記課題を解決するため本発明によりなされた請求項４記載の状態監視装置は、図１の基本構成図に示すように、予め定められた会員の所有物に関する通常状態から異常状態への状態変化を検出した際に、前記会員が所有する携帯電話機２０に内蔵しているアプリケーションプログラムを実行した前記携帯電話機２０によって前記状態変化を前記会員に対して通報させる状態監視装置１０であって、前記会員に対応した状態監視情報を記憶する状態監視情報記憶手段１０ｄと、前記状態変化の検出に応じて前記状態監視情報記憶手段１０ｄに記憶している状態監視情報を更新する状態監視情報更新手段１０ａ１と、前記状態監視情報更新手段１０ａ１の更新に応じて前記更新した状態監視情報の前記携帯電話機への取り込みの開始を指示するために、電子メールを当該携帯電話機２０に送信させる制御を行う第１送信制御手段１０ａ２と、前記状態監視情報記憶手段１０ｄが記憶している状態監視情報の送信を要求した前記携帯電話機２０に対して当該状態監視情報を送信させる制御を行う第２送信制御手段１０ａ３と、を備えることを特徴とする。
【００１６】
上記請求項４に記載した本発明の状態監視装置によれば、状態変化の検出に応じて前記状態監視情報記憶手段１０ｄに記憶している状態監視情報が状態監視情報更新手段１０ａ１によって更新される。そして、この更新に応じた第１送信制御手段１０ａ２の送信制御によって電子メールが携帯電話機に送信される。そして、携帯電話機２０からの送信要求に応じた第２送信制御手段１０ａ３の送信制御によって当該要求の発信元である携帯電話機２０に状態監視情報が送信される。よって、状態監視装置１０は会員の所有物に関する状態変化の検出に応じて当該会員の携帯電話機２０に電子メールを送信すると共に状態監視情報を更新し、携帯電話機２０からの要求に応じて状態監視情報を送信していることから、携帯電話機２０側では電子メールの受信に応じて状態監視情報を取り込み、この状態監視情報の更新を検出することで、所有物に関する状態変化を検出することができるため、電子メールの送信元やその内容を知る必要がなくなる。従って、電子メールの受信に応じて状態監視装置１０から状態監視情報を取り込み、この状態監視情報の更新を検出した際に音声による緊急通報を行うように携帯電話機２０を機能させるアプリケーションプログラムを携帯電話機２０に記憶しておくことで、携帯電話機２０を所持する会員の所有物に関する状態変化の検出を会員に確実に認識させることができる。
【００１７】
上記課題を解決するため本発明によりなされた請求項５記載の緊急通報システムは、図１の基本構成図に示すように、請求項３に記載の携帯電話機２０と、請求項４に記載の状態監視装置１０と、を備え、前記状態監視装置１０によって検出された状態変化を前記携帯電話機２０によって音声により緊急通報する緊急通報システムであって、前記携帯電話機２０の状態監視情報取込手段２２ａは、前記電子メールの受信に応じて前記状態監視情報の送信を前記状態監視装置１０に要求し、前記第２送信制御手段１０ａ３によって送信された前記状態監視情報を取り込むことを特徴とする。
【００１８】
上記請求項５に記載した本発明の緊急通報システムによれば、状態監視装置１０にて会員の所有物に関する状態変化が検出されると、状態監視情報が更新されると共に電子メールが会員が所持する携帯電話機２０に送信される。そして、緊急通報プログラムが実行された携帯電話機２０では、状態監視情報取込手段２２ａによって電子メールの受信に応じた状態監視情報の送信が状態監視装置１０に要求され、この要求に応じて状態監視装置１０の第２送信制御手段１０ａ３によって送信された状態監視情報が状態監視情報取込手段２２ａによって携帯電話機２０に取り込まれる。そして、取り込んだ今回の状態監視情報が更新されていると、音声情報を出力することで音声による緊急通報が携帯電話機２０にて行われる。よって、状態監視装置１０が会員の所有物に関する状態変化を検出して状態監視情報を更新すると共に電子メールを会員の緊急通報プログラムを実行している携帯電話機２０に送信すると、電子メールの受信に応じて携帯電話機２０は状態監視装置１０から状態監視情報を取り込み、この状態監視情報が更新されていると音声による緊急通報を行うことから、受信した電子メールの送信元やその内容をアプリケーションソフトウェアに提供しない会員の携帯電話機２０であっても、緊急通報プログラムをインストールして実行することで、会員の所有物に関する状態変化の検出に応じた音声による緊急通報をその携帯電話機２０にて行わせることができる。従って、緊急通報プログラムを携帯電話機２０にて実行させることで、携帯電話機の機種、仕様等に依存することなく、緊急通報システムを構築することができるため、多くの会員に緊急通報サービスを提供することができる。
【００１９】
【発明の実施の形態】
以下、本発明に係る緊急通報プログラムを記憶した携帯電話機を備える緊急通報システムの一実施の形態を、図２〜図８の図面を参照して説明する。なお、本実施の形態では、株式会社ＮＴＴドコモのｉモードサービスを利用して実現する場合について説明する。
【００２０】
ここで、図２は本発明に係る緊急通報システムのシステム構成の一例を示す図であり、図３は図２の状態監視装置の概略構成を示す図であり、図４は図３の状態監視装置のファイル構成の一例を示す図であり、図５は図４の状態監視情報のデータ構造の一例を示す図であり、図６は図２の携帯電話機の概略構成の一例を示す図であり、図７は状態監視装置のＣＰＵと携帯電話機の制御部が行う本発明に係る処理概要の一例を示すフローチャートであり、図８は緊急通報システムにおけるデータフローの一例を示す図である。
【００２１】
図２において、緊急通報システムは、緊急通報サービスを提供するサービス会社、警備会社等に設けられ、会員の車両１における通常状態から異常状態への状態変化を監視する状態監視装置１０と、緊急通報サービスを利用する会員が携帯する携帯電話機２０と、を備える。そして、状態監視装置１０と携帯電話機２０とは、インターネット２、ｉモードサーバ３、パケット通信網４を介したデータの送受信が可能となっている。
【００２２】
また、会員が所有する車両１には、当該車両の盗難防止を図る盗難防止装置５０を搭載しており、該盗難防止装置５０と状態監視装置１０とは、インターネット２、ｉモードサーバ３、パケット通信網４を介したデータの送受信が可能となっている。そして、盗難防止装置５０は、会員の要求に応じて車両１を監視し、車両１への侵入、車両１の破壊（振動の発生）、監視中の車両１の移動等に基づいて通常状態から異常状態への変化を検出すると、盗難、破壊等の発生を通報するための緊急情報を生成して状態監視装置１０に送信する。よって、本実施の形態では、状態監視装置１０が盗難防止装置５０から緊急情報を受信することで、車両１の状態変化を検出するようにしている。なお、緊急情報の一例としては、盗難、破壊等が発生した日時、その内容等の識別が可能な構成となっている。
【００２３】
次に、本発明に係る状態監視装置１０の構成の一例を説明する。
図３に示す状態監視装置１０は、周知であるパーソナル・コンピュータを用いており、予め定めたプログラムに従って装置全体の動作の制御などを行う中央演算処理装置（ＣＰＵ）１０ａを有している。このＣＰＵ１０ａには、バスＢを介してＣＰＵ１０ａのためのプログラム等を格納した読み出し専用のメモリであるＲＯＭ１０ｂ、ＣＰＵ１０ａの処理作業に必要な各種データを格納する作業エリア等を有する読み出し書き込み自在のメモリであるＲＡＭ１０ｃが接続されている。
【００２４】
ＣＰＵ１０ａにはさらに、記憶装置１０ｄがバスＢを介して接続されており、この記憶装置１０ｄにはハードディスク装置などを用いている。記憶装置１０ｄは、コンピュータを後述する状態監視装置として機能させるためのプログラムファイルや各種データベースなどを記憶している。
【００２５】
ＣＰＵ１０ａにはさらに、入力装置インタフェース（Ｉ／Ｆ）１０ｅ、表示装置インタフェース（Ｉ／Ｆ）１０ｆ、通信装置インタフェース（Ｉ／Ｆ）１０ｇがバスＢを介して接続されている。入力装置Ｉ／Ｆ１０ｅに、キーボードやマウスを有して構成する入力装置１１が接続されると、入力装置１１から入力された各種入力データは、バスＢに供給されてＣＰＵ１０ａに入力される。
【００２６】
表示装置Ｉ／Ｆ１０ｆには、ＣＲＴや液晶ディスプレイなどを用いて構成される表示装置１２が接続されている。そして、この表示装置Ｉ／Ｆ１０ｆは、表示装置１２の表示内容をＣＰＵ１０ａからの指示に基づいて制御するものである。
【００２７】
通信装置Ｉ／Ｆ１０ｇには、通信装置１３が接続されており、この通信装置１３としては携帯電話用モデム、ＬＡＮカード等の通信機器を用いている。そして、通信装置１３は、インターネット２等を介して、携帯電話機２０、盗難防止装置５０等から受信したデータをＣＰＵ１０ａに出力すると共に、ＣＰＵ１０ａから入力された情報を指示された送信先に送信する。
【００２８】
次に、状態監視装置１０の記憶装置１０ｄに記憶している本発明に係る情報について説明する。
図４に示すように、上述した記憶装置１０ｄは、状態監視プログラムファイルＦ、会員情報データベースＤＢ１、状態監視情報データベースＤＢ２等を記憶している。
【００２９】
状態監視プログラムファイルＦに格納している状態監視プログラムは、予め定められた会員の所有物に関する通常状態から異常状態への状態変化を検出した際に、前記会員が所有する携帯電話機に内蔵しているアプリケーションプログラムを実行した前記携帯電話機によって前記状態変化を前記会員に対して通報させるようにコンピュータを機能させる状態監視プログラムであって、前記状態変化の検出に応じて前記会員に対応した状態監視情報を更新する状態監視情報更新手段、前記状態監視情報更新手段の更新に応じて前記更新した状態監視情報の前記携帯電話機への取り込みの開始を指示するために、電子メールを当該携帯電話機に送信させる制御を行う第１送信制御手段、前記状態監視情報の送信を要求した前記携帯電話機に対して当該状態監視情報を送信させる制御を行う第２制御手段としてコンピュータを機能させるためのプログラムである。
【００３０】
会員情報データベースＤＢ１は、緊急通報サービスを利用する会員を識別することが可能な会員情報を会員毎に対応させて格納している。この会員情報は、会員を識別する識別番号と、緊急通報させる携帯電話機２０のメールアドレスと、会員が所有する車両１に搭載している盗難防止装置５０の識別番号とその連絡先、会員情報に対応する状態監視情報の状態監視情報データベースＤＢ２における格納場所と、を有している。
【００３１】
状態監視情報データベースＤＢ２は、図５に示す状態監視情報を、会員情報データベースＤＢ１の会員情報に対応させて格納している。該状態監視情報は、状態変化が検出された日時と、状態変化の内容に対応して発信させる音声情報を示す音声発信番号と、状態変化の内容に対応して表示させる画像情報を示す画像表示番号と、状態変化の内容を示す例えば「室内温度が異常です」等のメッセージと、を有している。
【００３２】
また、状態監視情報は、状態変化が検出された際に、状態変化の内容に対応するように更新されるため、携帯電話機２０はこの状態変化情報をダウンロードして監視することで、車両１にて状態変化が検出されたか否かを判定することができる。
【００３３】
以上説明したように、本実施の形態では状態監視情報を記憶装置１０ｄに記憶していることから、記憶装置１０ｄが特許請求の範囲に記載の状態監視情報記憶手段として機能している。
【００３４】
なお、本実施の形態においては、上述した状態監視プログラムファイルＦ、会員情報データベースＤＢ１、状態監視情報データベースＤＢ２等の各種ファイルを、ＣＤ−ＲＯＭ等のコンピュータが読み込むことができる記憶媒体から、記憶装置１０ｄにインストールしている。しかしながら、本発明はこれに限定するものではなく、ファイルのインストールについては、インターネットを介してダウンロードするなど種々異なる実施の形態とすることもできる。
【００３５】
次に、本発明に係る携帯電話機２０は、周知であるように、無線信号を受信するアンテナ２１ａと、アンテナ２１ａを介して受信した無線信号の復調その他必要な処理を行う無線部２１と、復調された無線信号を受信する制御等の携帯電話機２０の動作を制御し、制御用ＬＳＩ、ＣＰＵ等が用いられる制御部２２と、各種アプリケーションプログラム（以下、アプリケーションともいう）、受信した電子メール、音声ファイル等を記憶する記憶部２３と、受信した無線信号が音声信号である場合に無線信号を音声信号に変換するとともに、制御部２２が出力した音声情報を音声信号に変換して装置外部に出力する音声出力部（音声通知手段に相当）２４と、電子メールの内容その他のデータを表示する表示部（表示手段に相当）２７と、使用者が本携帯電話機２０に種々のデータを入力する操作部２８と、を有する。
【００３６】
携帯電話機２０の制御部２２は、記憶部２３に記憶しているアプリケーションのダウンロード、実行、削除等を管理する機能を有しており、ｉモードブラウザの操作を契機として、コンテンツプロバイダのｉモード対応Ｗｅｂサイトからアプリケーションを記憶部２３にダウンロードして記憶する。
【００３７】
制御部２２はさらに、周知であるように、携帯電話機２０にインストールされたアプリケーションを管理する機能を備え、携帯電話機２０に格納されているアプリケーションのリストの表示、アプリケーションの実行管理、アプリケーションのインストールまたは更新、所有者の明示的な指示に基づく既存のアプリケーションの削除等を管理する。そして、本発明の緊急通報プログラムは、緊急通報アプリケーションとしてインストールされ、その実行が管理される。
【００３８】
また、携帯電話機２０にて電子メールを受信すると、無線部１が所定の処理を行った後、制御部２２にて受信した電子メールの発信者のアドレス情報を検出し、このとき緊急通報プログラムが実行されていると、電子メールの受信を検出したことを示すメール着信検出データをそのアプリケーションに対して出力する。
【００３９】
記憶部２３に記憶される緊急通報プログラムは、予め定められた会員の所有物に関する通常状態から異常状態への状態変化を状態監視装置１０が検出した際に、前記会員が所有する携帯電話機２０によって前記状態変化を前記会員に対して音声により緊急通報させるように、前記携帯電話機２０のコンピュータを機能させるための緊急通報プログラムであって、前記会員の前記所有物に関する前記状態変化を検出した際に前記状態監視装置１０が、前記会員に対応した状態監視情報を更新した上で前記会員が所有する前記携帯電話機２０に電子メールを送信し、該電子メールの前記携帯電話機２０における受信に応じて前記状態監視装置１０から前記携帯電話機２０を所有する会員に対応する前記状態監視情報を取り込む状態監視情報取込手段、前記状態監視情報取込手段２２ａが取り込んだ今回の状態監視情報と、直近の過去に前記状態監視情報取込手段２２ａが取り込んだ過去の状態監視情報とを比較し、該比較結果に基づいて前記今回の状態監視情報が更新されているか否かを判定する判定手段、前記判定手段２２ｂの更新されているとの判定に応じて前記状態変化の検出を前記会員に認識させる音声情報を前記緊急通報のために出力する音声情報出力手段２２ｃ、として前記携帯電話機２０のコンピュータを機能させるための緊急通報プログラムである。
【００４０】
また、記憶部２３はアプリケーションプログラムを記憶するとともに、状態監視装置１０から取り込んだ前記状態監視情報を時系列的に記憶する記憶エリアと処理作業に必要な各種データを格納する作業エリア等を有する。そして、記憶部２３には、状態監視装置１０における所有物に関する通常状態から異常状態への状態変化の検出を会員に認識させる音声情報を格納する音声ファイルと、会員に視認させる画像情報を格納する画像ファイルと、を予め記憶している。
【００４１】
次に、本発明の緊急通報システムにおいて、状態監視装置１０のＣＰＵ１１ａ及び携帯電話機２０の制御部２２がそれぞれ行う処理概要の一例を、図７のフローチャートを参照して説明する。
【００４２】
図７において、状態監視装置１０が起動されると、車両１に搭載された盗難防止装置５０からの緊急情報の受信を監視する受信監視状態中となり、通信装置１３を介して緊急情報が受信されると、この緊急情報は記憶装置１０ｄに記憶される（Ｓ１１０）。
【００４３】
そして、この緊急情報に対応する会員情報が会員情報データベースＤＢ１から抽出され、この会員情報に対応する状態監視情報が状態監視情報データベースＤＢ２から抽出され、この状態監視情報が更新されるとともに（Ｓ１１１：状態監視情報更新手段）、この更新に応じて前記更新した状態監視情報の携帯電話機２０への取り込みの開始を指示するために、抽出した会員情報の前記メールアドレス（携帯電話機）に対する電子メールの送信が指示されることで（Ｓ１１２：第１送信制御手段）、電子メールが送信される。
【００４４】
なお、本実施の形態では、緊急情報が状態変化の検出日時、車両１のドアのオープン、車内の温度上昇、バッテリーの取り外し等の状態変化が識別可能な状態変化識別データを有する構成としていることから、この緊急情報の受信に応じて、図５に示す状態監視情報の日時時は緊急情報の検出日時、音声発信番号、画像表示番号、メッセージの各々は緊急情報の状態変化識別データに対応するデータにそれぞれ変更される。
【００４５】
また、緊急通報アプリケーションが実行されて、待ち受け状態中の携帯電話機２０において、電子メールが受信され、このメール着信検出データが緊急通報アプリケーションに入力されると（Ｓ２１０）、予め定められた状態監視装置１０に接続され、この状態監視装置１０に対して状態監視情報の送信を要求する送信要求の送信が指示されることで（Ｓ２１１）、送信要求が送信される。
【００４６】
また、状態監視装置１０において、送信要求が受信されると（Ｓ１１３）、この送信要求が有する識別データに対応する会員情報が会員情報データベースＤＢ１から抽出され、この会員情報に対応する状態監視情報が状態監視情報データベースＤＢ２から抽出され、この状態監視情報の携帯電話機２０への送信が指示されることで（Ｓ１１４：第２送信制御手段）、更新された状態監視情報が携帯電話機２０に送信される。
【００４７】
また、携帯電話機２０において、送信要求に応じた状態監視情報が受信され、この状態監視情報が記憶装置１０ｄに取り込まれて記憶される（Ｓ２２０：状態監視情報取込手段）。そして、今回取り込んだ状態監視情報と、過去に取り込んだ過去の過態監視情報とが比較され、該比較結果に基づいて前記今回の状態監視情報が更新されているか否かが判定される（Ｓ２２１：判定手段）。更新されていないと判定された場合は（Ｓ２２１でＮＯ）、状態変化は検出されていないと見なし、待ち受け状態へ移行する。
【００４８】
一方、取り込んだ状態監視情報が更新されていると判定された場合は（Ｓ２２１でＹＥＳ）、その状態監視情報が有する状態変化識別データに対応する音声情報が記憶部２３の音声ファイルから抽出され、この音声情報が音声出力部２４に出力されることで（Ｓ２２２：音声情報出力手段）、音声出力部２４によって状態変化の検出を認識させる音声情報に対応する音声が会員に対して発せられる。
【００４９】
さらに、状態監視情報が有する状態変化識別データに対応する画像情報が記憶部２３の画像ファイルから抽出され、この画像情報が表示部２７に出力されることで（Ｓ２２３：画像情報出力手段）、表示部２７に状態変化の検出を会員に視認させる画像情報が表示される。そして、音声情報に対応する音声出力及び画像情報の表示を会員が確認し、該確認を示す所定操作が操作部２８にて行われると、緊急通報が確認されたことを示す通報確認情報が生成され、この通報確認情報の予め定められた状態監視装置１０への送信が指示されることで（Ｓ２２４）、通報管理情報が状態監視装置１０へ送信され、待ち受け状態へ移行する。
【００５０】
また、状態監視装置１０において、通報確認情報が受信されると（Ｓ１２１）、この通報確認情報に対応する会員情報が会員情報データベースＤＢ１から抽出され、この会員情報に通報確認情報が関連付けられて記憶装置１０ｄに記憶される（Ｓ１２２）。
【００５１】
よって、以上の説明からも明らかなように、状態監視装置１０のＣＰＵ１１ａが請求項中の状態監視情報更新手段、第１及び第２送信制御手段として機能し、携帯電話機２０の制御部２２が請求項中の状態監視情報取込手段、判定手段、音声情報出力手段、並びに画像情報出力手段として機能している。
【００５２】
次に、上述した緊急通報システムにおける動作（作用）の一例を、図８の図面を参照して説明する。
【００５３】
会員は所有する携帯電話機２０に緊急通報プログラムをインターネット２を介してインストールし、その緊急通報プログラムを実行させる。そして、緊急通報プログラム実行中の待ち受け状態中、かつ、状態監視装置１０で状態変化を検出していない状態で、携帯電話機２０が他の電子メールを受信すると、状態監視装置１０から状態監視情報が携帯電話機２０に取り込まれる。そして、取り込んだ今回の状態監視情報は過去の状態監視情報と等しいことから、携帯電話機２０は待ち受け状態中に復帰する。
【００５４】
車両１に搭載された盗難防止装置５０が車両１の状態変化を検出すると、この検出に応じて盗難防止装置５０は状態監視装置１０に緊急情報を送信する（▲１▼）。そして、緊急情報を受信した状態監視装置１０は、この緊急情報が示す会員に対応する状態監視情報を更新すると共に、電子メールを会員が所持する携帯電話機２０に送信する（▲２▼）。
【００５５】
その後、車両１の状態変化の検出に応じて状態変化装置１０が送信した電子メールを携帯電話機２０が受信すると、状態監視装置１０に対して状態監視情報の送信要求を送信する（▲３▼）。そして、送信要求を受信した状態監視装置１０は、その要求に対応する状態監視情報データベースＤＢ２の状態監視情報を携帯電話機２０に対して送信する（▲４▼）。
【００５６】
その送信された状態監視情報を携帯電話機２０が取り込むと、携帯電話機２０は今回取り込んだ状態監視情報と前回取り込んだ状態監視情報は検出日時等が異なることから、車両１に関する状態変化が検出されたことを認識し、状態監視情報に対応する音声情報に基づいた音声を音声出力部２４から発すると共に、対応する画像情報を表示部２７に表示して状態変化の検出を会員に通報するための緊急通報を行う。
【００５７】
以上説明したように、状態監視装置１０が会員の車両（所有物）１に関する状態変化を検出して状態監視情報を更新すると共に電子メールを会員の緊急通報プログラムを実行している携帯電話機２０に送信すると、電子メールの受信に応じて携帯電話機２０は状態監視装置１０から状態監視情報を取り込み、この状態監視情報が更新されていると音声による緊急通報を行うことから、受信した電子メールの送信元やその内容をアプリケーションソフトウェアに提供しない会員の携帯電話機２０であっても、緊急通報プログラムをインストールして実行することで、会員の所有物に関する状態変化の検出に応じた音声による緊急通報をその携帯電話機２０にて行わせることができる。
【００５８】
従って、緊急通報プログラムを携帯電話機２０にて実行させることで、携帯電話機の機種、仕様等に依存することなく、緊急通報システムを構築することができるため、多くの会員に緊急通報サービスを提供することができる。
【００５９】
また、携帯電話機２０は電子メールの受信に応じて状態監視情報を取り込むことから、状態監視装置１０における状態変化の検出を速やかに携帯電話機２０側で検出して緊急通報を行うことができる。よって、緊急通報プログラムを携帯電話機２０にて実行させることで、携帯電話機２０の機種、仕様等に依存することなく、携帯電話機２０にて音声による緊急通報を行うことができるため、所有物に関する状態変化の検出を会員に確実に認識させることができる。
【００６０】
なお、上述した本実施の形態では、車両１に搭載した盗難防止装置５０が車両１に関する状態変化を検出する場合について説明したが、盗難防止装置５０からの所定信号の受信を状態変化の検出とするように状態監視装置１０を実現するなど種々異なる実施の形態とすることができる。
【００６１】
また、上述した本実施の形態では、緊急通報プログラムを会員が携帯電話機２０にダウンロードしてインストールする場合について説明したが、緊急通報プログラムを携帯電話機２０にプレインストールしておいても差し支えない。
【００６２】
さらに、上述した本実施の形態では、会員の所有品を車両１とし、盗難防止装置５０が車両１の状態変化を検出した際に携帯電話機２０に音声による緊急通報を行わせる緊急通報システムについて説明したが、本発明はこれに限定するものではなく、所有品を家庭用電気器具とし、状態監視装置１０にて家庭用電気器具の状態変化を検出した際に、携帯電話機２０に音声による緊急通報を行わせるなど種々異なる実施の形態とすることもできる。なお、家庭用電気器具と状態監視装置１０とは、周知である家庭内ネットワーク（例えば、ＥＣＨＯＮＥＴ：Ｅｎｅｒｇｙ  Ｃｏｎｓｅｒｖａｔｉｏｎ  Ｈｏｍｅｃａｒｅ  Ｎｅｔｗｏｒｋ等）を介してネットワーク接続することで対応することができる。
【００６３】
【発明の効果】
以上説明したように請求項１に記載した本発明の緊急通報プログラムによれば、緊急通報プログラムの実行によって、携帯電話機に会員の所有物に関する状態変化を検出した際に会員に対応する状態監視情報を更新する状態監視装置から電子メールの受信に応じて状態監視情報を取り込ませ、この状態監視情報が更新されているときに、状態変化が検出されたものとして音声情報に基づいた緊急通報を行わせることができることから、緊急通報プログラムが携帯電話機で受信した電子メールの送信元やその内容を把握することができない携帯電話機に組み込まれても、携帯電話機によって会員の所有物の状態変化の検出に応じた音声による緊急通報を行わせることができる。また、携帯電話機は電子メールの受信に応じて状態監視情報を取り込むことから、状態監視装置における状態変化の検出を速やかに携帯電話機側で検出して緊急通報を行うことができる。従って、緊急通報プログラムを携帯電話機にて実行させることで、携帯電話機の機種、仕様等に依存することなく、携帯電話機にて音声による緊急通報を行うことができるため、所有物に関する状態変化の検出を会員に確実に認識させることができるという効果を奏する。
【００６４】
請求項２に記載の発明によれば、請求項１に記載の発明の効果に加え、緊急通報プログラムにより携帯電話機に、会員の所有物に関する状態変化の検出に応じた画像情報を表示手段に表示させているので、音声情報と画像情報とによる緊急通報を行うことができる。従って、緊急通報により所有物に関する状態変化の検出をより一層会員に認識させることができるという効果を奏する。
【００６５】
以上説明したように請求項３に記載した本発明の携帯電話機によれば、記憶装置に記憶している緊急通報プログラムの実行によって携帯電話機は、会員の所有物に関する状態変化を検出した際に会員に対応する状態監視情報を更新する状態監視装置から電子メールの受信に応じて状態監視情報を取り込み、この状態監視情報が更新されているときに、状態変化が検出されたものとして音声情報による緊急通報を行うことから、緊急通報プログラムが携帯電話機で受信した電子メールの送信元やその内容を把握することができない携帯電話機に組み込まれても、携帯電話機によって会員の所有物の状態変化の検出に応じた音声情報に基づいた緊急通報を行うことができる。また、携帯電話機は電子メールの受信に応じて状態監視情報を取り込むことから、状態監視装置における状態変化の検出を速やかに携帯電話機側で検出して緊急通報を行うことができる。従って、緊急通報プログラムを携帯電話機にて実行させることで、携帯電話機の機種、仕様等に依存することなく、携帯電話機にて音声による緊急通報を行うことができるため、所有物に関する状態変化の検出を会員に確実に認識させることができるという効果を奏する。
【００６６】
以上説明したように請求項４に記載した本発明の状態監視装置によれば、状態監視装置は会員の所有物に関する状態変化の検出に応じて当該会員の携帯電話機に電子メールを送信すると共に状態監視情報を更新し、携帯電話機からの要求に応じて状態監視情報を送信していることから、携帯電話機側では電子メールの受信に応じて状態監視情報を取り込み、この状態監視情報の更新を検出することで、所有物に関する状態変化を検出することができるため、電子メールの送信元やその内容を知る必要がなくなる。従って、電子メールの受信に応じて状態監視装置から状態監視情報を取り込み、この状態監視情報の更新を検出した際に音声による緊急通報を行うように携帯電話機を機能させるアプリケーションプログラムを携帯電話機に記憶しておくことで、携帯電話機を所持する会員の所有物に関する状態変化の検出を会員に確実に認識させることができるという効果を奏する。
【００６７】
以上説明したように請求項５に記載した本発明の緊急通報システムによれば、状態監視装置が会員の所有物に関する状態変化を検出して状態監視情報を更新すると共に電子メールを会員の緊急通報プログラムを実行している携帯電話機に送信すると、電子メールの受信に応じて携帯電話機は状態監視装置から状態監視情報を取り込み、この状態監視情報が更新されていると音声による緊急通報を行うことから、受信した電子メールの送信元やその内容をアプリケーションソフトウェアに提供しない会員の携帯電話機であっても、緊急通報プログラムをインストールして実行することで、会員の所有物に関する状態変化の検出に応じた音声による緊急通報をその携帯電話機にて行わせることができる。従って、緊急通報プログラムを携帯電話機にて実行させることで、携帯電話機の機種、仕様等に依存することなく、緊急通報システムを構築することができるため、多くの会員に緊急通報サービスを提供することができるという効果を奏する。
【図面の簡単な説明】
【図１】本発明の緊急通報システムの基本構成を示す図である。
【図２】本発明に係る緊急通報システムのシステム構成の一例を示す図である。
【図３】図２の状態監視装置の概略構成を示す図である。
【図４】図３の状態監視装置のファイル構成の一例を示す図である。
【図５】図４の状態監視情報のデータ構造の一例を示す図である。
【図６】図２の携帯電話機の概略構成の一例を示す図である。
【図７】状態監視装置のＣＰＵと携帯電話機の制御部が行う本発明に係る処理概要の一例を示すフローチャートである。
【図８】緊急通報システムにおけるデータフローの一例を示す図である。
【符号の説明】
１０          状態監視装置
１０ａ１      状態監視情報更新手段（状態監視装置のＣＰＵ）
１０ａ２      第１送信制御手段（状態監視装置のＣＰＵ）
１０ａ３      第２送信制御手段（状態監視装置のＣＰＵ）
１０ｄ        状態監視情報記憶手段（状態監視装置の記憶装置）
２０          携帯電話機
２２ａ        状態監視情報取込手段（制御部）
２２ｂ        判定手段（携帯電話機の制御部）
２２ｃ        音声情報出力手段（携帯電話機の制御部）
２２ｄ        画像情報出力手段（携帯電話機の制御部）
２４          音声通報手段（携帯電話機の音声出力部）
２７          表示手段（携帯電話機の表示部）
【図１】
2004236068.tif 000003
【図２】
2004236068.tif 000004
【図３】
2004236068.tif 000005
【図４】
2004236068.tif 000006
【図５】
2004236068.tif 000007
【図６】
2004236068.tif 000008
【図７】
2004236068.tif 000009
【図８】
2004236068.tif 000010